(57)【要約】【課題】  繰返し使用を可能とすると共に、ショアリング装置をモジュール化して適用対象や適用部位の違いに拘らず適用できるようにした合理的、かつ、経済的なショアリング装置を提供すること。【解決手段】  金属製の梁状部材１，２と、金属製パイプ部材３，４と、金属製のブレース81，82と、前記梁状部材１，２による水平部材とパイプ部材３，４による垂直部材の接続、並びに、これらの部材間に架設されるブレースの接続に用いられる結合金具とを備えて成り、前記各部材を接続結合して略梯子状、又は、略櫓状に形成したこと。【選択図】図２
0003159514.tif 000002
【実用新案登録請求の範囲】
【請求項１】
金属製の梁状部材と、金属製パイプ部材と、金属製のブレースと、前記梁状部材による水平部材とパイプ部材による垂直部材の接続、並びに、これらの部材間に架設されるブレースの接続に用いられる結合金具とを備えて成り、前記各部材を接続結合して略梯子状、又は、略櫓状に形成したことを特徴とするショアリング装置。
【請求項２】
ショアリング装置は、上記の各部材を用いて側面略Ｌ状のバリケード柵上に形成した請求項１のショアリング装置。
【請求項３】
結合金具は、ジョイントピン，クランプ，ボルト，ナットのいずれか、又は、これらの組合せである請求項１又は２のショアリング装置。
【請求項４】
装置の上端部又は下端に配置される梁状部材に接続されるパイプ部材を、ジャッキ機能を具備したパイプ部材を用いた請求項１〜３のいずれのショアリング装置。
【考案の詳細な説明】
【技術分野】
【０００１】
一般に地震や火災等の災害により主として建物などの構築物が相当のダメージを受けた場合、余震などの影響で当該構築物が倒壊してしまったり、床や天井が崩壊したり、或は、出入口や窓などの損壊が増大，拡大して救助作業などの作業において二次災害が発生するおそれがあるが、本考案はこのような二次災害を未然に防止するためのショアリング装置に関する。
【背景技術】
【０００２】
地震や火災などの災害により建物などの構築物がダメージを受けてしまった場合、その構築物内での救助活動には、例えば余震などにより天井や床が崩落したり、出入口が塞がれてしまい、二次災害になりかねない場合がある。
【０００３】
上記のような災害時にダメージを受けた建物などの構築物に対しては、当該建物などの崩壊、床，天井などの崩落、あるいは、出入口や窓などの開口部の閉塞などを防ぐため、ショアリング（Ｓｈｏｒｉｎｇ）と呼ばれる補強技術が、その建物、或は、天井，床，壁，出入口などに適用されることが知られている。なお、ショアリング技術は、崩落を防ぐことを目的とする点で支保工技術に共通した点がある。
【０００４】
しかし、従来のショアリング技術には次のような問題点がある。即ち、
（イ）従来のショアリング装置は、適用する強度に応じた断面積を持つ木材（角材）を使用するが、適用場所に応じて断面積の異なる角材を用意する必要があること、
（ロ）角材の組立て構造であるため結合部に金属製の補強部材が不可欠であること、
（ハ）火災現場の建物では、木材製であるため延焼の危険があって使用できないか、使用し難いこと、
（ニ）現場では木材をショアリング装置に組上げるため、角材のカッティング、そのための作業道具、作業台を、別途準備する必要があること、
（ホ）使用後の転用が殆んどできないため、エコロジカルではなく、結果、イニシャルコスト増大の要因となること
などがそうである。
因みに、ショアリング技術についての先行技術としては、特許文献１などがあるが、これは建物用の技術ではない。
【先行技術文献】
【特許文献】
【０００５】
【特許文献１】実開平３−４７２９７号公報
【考案の概要】
【考案が解決しようとする課題】
【０００６】
本考案は上記のような公知のショアリング装置の問題点に鑑み、そのような問題点が全くない、すなわち、繰返し使用を可能とすると共に、ショアリング装置をモジュール化して適用対象や適用部位の違いに拘らず適用できるようにした合理的、かつ、経済的なショアリング装置を提供することを、その課題とする。
【課題を解決するための手段】
【０００７】
上記課題を解決することを目的としてなされた本考案ショアリング装置の構成は、金属製の梁状部材と、金属製パイプ部材と、金属製のブレースと、前記梁状部材による水平部材とパイプ部材による垂直部材の接続、並びに、これらの部材間に架設されるブレースの接続に用いられる結合金具とを備えて成り、前記各部材を接続結合して略梯子状、又は、略櫓状に形成したことを特徴とするものである。
【０００８】
本考案ショアリング装置は、上記の各部材を用いて側面略Ｌ状のバリケード柵上に形成したものもある。このバリケード棚は、一例として、梁状部材によって主要構造を形成し、パイプ部材によってその主要構造を補強した構造とするが、本考案におけるバリケード棚状のショアリング装置は、この例に限定されるものではない。
【０００９】
本考案ショアリング装置に使用する結合金具としては、パイプ部材同士の接続を結合するジョイントピンやリテイナークランプ、或は、ボルト，ナットがある。
【００１０】
また、本考案ショアリング装置では、装置の上端部又は下端に配置される梁状部材に接続されるパイプ部材を、ジャッキ機能を具備したパイプ部材を用いることがある。
【考案の効果】
【００１１】
本考案は地震等の災害によるダメージを受けている建物などの構築物を、それ以上の損壊，崩落がないように支えることができるショアリング装置を、金属製の梁状部材と、金属製パイプ部材と、金属製のブレースと、前記梁状部材による水平部材とパイプ部材による垂直部材の接続、並びに、これらの部材間に架設されるブレースの接続に用いられる結合金具とを備えて成り、前記各部材を接続結合して略梯子状、又は、略櫓状に形成したから、次の諸効果が得られる。
（あ）金属、例えばアルミ材などを主材とするので、軽量化できる一方強度の増大を図ることができる。
（い）金属材を用いている故に、火災現場でも問題なく使用できる。
（う）パイプ部材やブレース材は、ショアリング装置の形態の違いに拘らず共通品を使用でき、しかも、規格化されたものが使用できるので、ショアリング装置のモジュール化、システム化が容易になる。
（え）結合金具は、リティナークランプやジョイントピン、或は、ボルト，ナットなどの汎用品であるから、他に転用可能である。
（お）パイプ部材に規格化された伸縮自在のものを用いると、切断などの作業が不要となる。
（か）また、作業工具はインパクトレンチだけで足りる。従って、短時間での組立ｔｅ，分解が可能である。
【図面の簡単な説明】
【００１２】
【図１】本考案ショアリング装置の第一例の斜視図である。
【図２】本考案ショアリング装置の第二例の斜視図である。
【図３】本考案ショアリング装置の第三例の斜視図である。
【考案を実施するための形態】
【００１３】
次に、本考案ショアリング装置の実施の形態例について、図を参照しつつ説明する。
図１において、１，２は断面Ｉ型などの金属部材、好ましくはアルミ材で形成した梁状部材で、図１の例では下位の梁状部材１がベース部材として、上位の梁状部材２が大引材（ストリンガービーム）として用いられている。梁状部材１の長さは、建物の出入口や建具などの開口幅に見合ったものであるが、その長さをどれ程にするかは、任意である。
【００１４】
下位のベース部材１と上位の大引材２は、水平姿勢で適宜の上、下間距離（この距離が本考案ストリンガー装置を適用すべき建物等における出入口や窓などの開口部の部位の高さになる）を保って配置し、水平な両部材１，２の間を、垂直姿勢の左右のパイプ部材３，４によって連結する。
【００１５】
左右の縦方向のパイプ部材３，４は、図１の例では、正面から見てパイプ材が大略Ｈ型をなすように組まれた３個のメインフレームmf１〜mf３を縦向きに接続して形成されており、各フレームmf１〜mf３における左右の縦パイプ部材3a，3b，3c、同4a，4b，4cは、図示しないがジョイントピンによって接続部が結合されている。
【００１６】
なお、図１では、各メインフレームmf１〜mf３における横方向部材5a，5b，5cは、それぞれリティナークランプ51によりそれぞれの左右が左右の縦パイプ部材に結合された形態で示されているが、各フレームmf１〜mf３における、それぞれ縦パイプ部材3a，4aと横パイプ部材5a、同じく縦のパイプ部材3b，4bと横パイプ部材5b、同じく縦パイプ部材3c，4cと横パイプ部材5cは、予めＨ型に結合形成されたものがあり、これを使用してもよい。また、使用する縦パイプ部材の長さ、横パイプ部材の長さ、使用するパイプ部材の本数は、組立てるショアリング装置の大きさに応じて選択されるものである。
【００１７】
さらに、パイプ部材３，４の上端部は、ジャッキ31，41が大引受けジャッキとして配設され上位の梁状部材２（大引材２）に結合されている。図１において61，62は、上下で隣り合うメインフレームmfの縦パイプ部材4aと3b、同じく4bと3cの間にクランプ51によって結合架設されたブレースである。
【００１８】
以上により図１に例示した本考案のほぼ梯子型のショアリング装置Sh−１を構成する。図２のほぼ櫓型を呈するショアリング装置Sh−２は、図１の梯子型ショアリング装置Sh−１の２個を、前後に（又は左右に）平行に並べ、これらの左右側面（又は前後側面）を、高さ方向の複数箇所において連結用パイプ部材7a，7b，7cで結合すると共に、ブレース81，82を架設結合して全体として櫓状をなす本考案の櫓型ショアリング装置Sh−２に形成したものである。
従って、図２において、図１の部材と同一部材には同じ符号を付している。
【００１９】
図１，図２に例示したショアリング装置Sｈ−１，Sh−２において、梁状部材１，２の長さ、或は、使用するパイプ部材３，４の高さ（長さ）などは、これらのシェアリング装置が適用される建造物などの部位に合うように予め調整することができるが、建築規格などに基づいて予めそれらの寸法を決めたものであってもよい。
【００２０】
図３はバリケード柵型に形成した本考案ショアリング装置Sh−３の斜視図である。
図３においては、２組の梁状部材１，２が側面から見て略Ｌ状に結合され、２つのＬ状において平行に並べた下位の部材１，１の先端を水平な結合梁状部材21により接続して形成したメインフレームMfと、このメインフレームMfにおける左右のＬ状をなす梁状部材１，２と、同１，２にそれぞれ斜めに架設した補強パイプ部材９，10と、左右のこの補強パイプ部材９，10を梁状部材１，２のコーナー部に結合部材11と、左右の補強パイプ部材９，９の間に架設して左右の両部材９，９を結合した結合部材12〜14とにより形成されている。図３の例において、各部材の結合には、ボルト・ナットやリティナークランプなどが用いられている。
【００２１】
上記のように構成される本考案ショアリング装置は、図１の梯子型の装置は、建物の出入口や窓などの開口部の上，下枠材に、上，下の梁部材１，２を当てがい、その出入口が崩落するのを防ぐことができるように設置して用いる。この場合において、開口部の上下間口の高さに対する本考案装置Sh−１の高さ調整は、大きな調節は使用する縦パイプ材の接続本数、小さな調節は大引受けジャッキ31，41によって行う。
【００２２】
図２の本考案ショアリング装置Sh−２は、櫓型である故に、例えば、建屋内において、天井と床の間に配置し、天井（又は上位階の床）が崩落しないようにその天井（又は上位階の床）を支えるといった態様で使用する。この場合の高さ調整も図１のショアリング装置と同様に、縦パイプ部材の接続本数や大引受けジャッキ31，41によって行う。
【００２３】
図３の本考案ショアリング装置Sh−３は、いわばバリケード型であるため、建物の壁などの垂直面（乃至立壁面）に、この装置Sh−３における垂直向きの平行な梁状部材２，２を当てがい、前記壁が崩落するのを防ぐために使用するものである。図３に示したバリケード型のショアリング装置Sh−３におけるメーンフレームMfを補強するパイプ部材９，10や結合部材12〜14の補強態様（補強パターン）や結合形態（結合パターン）は、図示しないが、図３に例示した形態，態様以外のものであってもよいこと勿論である。
【産業上の利用可能性】
【００２４】
本考案ショアリング装置は以上の通りであって、金属製の梁状部材と、金属製パイプ部材と、金属製のブレースと、前記梁状部材による水平部材とパイプ部材による垂直部材の接続、並びに、これらの部材間に架設されるブレースの接続に用いられる結合金具とを備えて成り、前記各部材を接続結合して略梯子状、又は、略櫓状などに形成してショアリング装置としたので、
（あ）金属、例えばアルミ材などを主材とするので、軽量化できる一方強度の増大を図ることができる。
（い）金属材を用いている故に、火災現場でも問題なく使用できる。
（う）パイプ部材やブレース材は、ショアリング装置の形態の違いに拘らず共通品を使用でき、しかも、規格化されたものが使用できるので、ショアリング装置のモジュール化、システム化が容易になる。
（え）結合金具は、リティナークランプやジョイントピン、或は、ボルト，ナットなどの汎用品であるから、他に転用可能である。
（お）パイプ部材に規格化された伸縮自在のものを用いると、切断などの作業が不要となる。
（か）また、作業工具はインパクトレンチだけで足りる。従って、短時間での組立ｔｅ，分解が可能である。
という諸効果を得ることができ、かかる効果は、角木材を現場で切断して組立てていた公知ショアリング装置では、到底得ることができないものである。
【符号の説明】
【００２５】
１，２    梁状装部材
３，４    左右のパイプ部材
31，41    ジャッキ
51        リティナークランプ
7a〜7c    連結用パイプ部材
81，82    ブレース
Sh−１〜Sh−３    ショアリング装置
mf１〜mf３        メインフレーム
Mf                メインフレーム
【図１】
0003159514.tif 000003
【図２】
0003159514.tif 000004
【図３】
0003159514.tif 000005
【手続補正書】
【提出日】平成22年2月24日(2010.2.24)
【手続補正１】
【補正対象書類名】実用新案登録請求の範囲
【補正対象項目名】全文
【補正方法】変更
【補正の内容】
【実用新案登録請求の範囲】
【請求項１】
金属製の梁状部材と、金属製パイプ部材と、金属製のブレースと、前記梁状部材による水平部材とパイプ部材による垂直部材の接続、並びに、前記垂直部材間に架設されるブレースの接続に用いられる結合金具とを備えて成り、前記各部材を接続結合して略梯子状、又は、略櫓状に形成したことを特徴とするショアリング装置。
【請求項２】
ショアリング装置は、上記の梁状部材，パイプ部材，結合金具を用いて側面略Ｌ状のバリケード柵上に形成した請求項１のショアリング装置。
【請求項３】
結合金具は、ジョイントピン，クランプ，ボルト，ナットのいずれか、又は、これらの組合せである請求項１又は２のショアリング装置。
【請求項４】
装置の上端部又は下端に配置される梁状部材に接続されるパイプ部材を、ジャッキ機能を具備したパイプ部材を用いた請求項１〜３のいずれのショアリング装置。